(57)【要約】【課題】造営材または照明装置の内壁面に光が照射されることで生じる違和感を抑制する。【解決手段】照明装置１は、開口部１１を有するケース１０と、ケース１０内に設けられ、複数の発光素子２２を有する第１光源２０と、開口部１１に設けられ、第１光源２０から出射された光を拡散および透過して出射する光拡散板４０と、光拡散板４０の光の出射面４２側において光拡散板４０の光の出射領域４３の外側に配置される発光部５０と、発光部５０に光を入射する第２光源６０とを備える。【選択図】図４
2018170132.tif 000002
【特許請求の範囲】
【請求項１】
開口部を有するケースと、
前記ケース内に設けられ、複数の発光素子を有する第１光源と、
前記開口部に設けられ、前記第１光源から出射された光を拡散および透過して出射する光拡散板と、
前記光拡散板の光の出射面側において前記光拡散板の光の出射領域の外側に配置される発光部と、
前記発光部に光を入射する第２光源と
を備える照明装置。
【請求項２】
前記発光部は、前記出射領域の周囲に配置されている
請求項１に記載の照明装置。
【請求項３】
前記発光部は、発光面を有する導光板である
請求項１または２に記載の照明装置。
【請求項４】
前記発光部は、前記発光面が前記出射面と交差し、かつ、前記発光面が前記出射領域の外側の反対である内側を向くように配置されている
請求項３に記載の照明装置。
【請求項５】
前記第２光源は、光の３原色を発光する発光素子を有する
請求項１〜４のいずれか１項に記載の照明装置。
【請求項６】
さらに、前記第１光源および前記第２光源の発光を制御する制御部を備える
請求項１〜５のいずれか１項に記載の照明装置。
【請求項７】
前記制御部は、前記発光部から出射される光の色温度が前記光拡散板から出射される光の色温度と異なるように、前記第２光源の発光を制御する
請求項６に記載の照明装置。
【請求項８】
前記発光部が複数設けられ、
前記第２光源は、複数の前記発光部に対応して複数設けられ、
前記制御部は、複数の前記発光部のうち第１の発光部の発光状態が第２の発光部の発光状態と異なるように、前記第１の発光部および前記第２の発光部のそれぞれに対応する前記第２光源の発光を制御する
請求項６に記載の照明装置。
【請求項９】
開口部を有するケース、前記ケース内に設けられ複数の発光素子を有する第１光源、および、前記開口部に設けられ前記第１光源から出射された光を拡散および透過して出射する光拡散板を備える照明装置と、
前記光拡散板の光の出射面側において前記光拡散板の光の出射領域の外側に配置される発光部、および、前記発光部に光を入射する第２光源を備える発光器具と、
前記第１光源および前記第２光源の発光を制御する照明コントローラと
を備える照明システム。
【発明の詳細な説明】
【技術分野】
【０００１】
本発明は、室内から窓を通して空を見るような感覚を疑似体験させるための照明装置および照明システムに関する。
【背景技術】
【０００２】
従来、自然光を模擬した照明装置が知られている。この種の照明装置の一例として、特許文献１には、指向性を有する非拡散光を発する光源と、光を拡散させる光拡散板（拡散パネル）と、光が照射される内壁面（側壁）とを備える照明装置が開示されている。この照明装置では、光源から発せられた非拡散光を光拡散板で拡散させ、また、非拡散光の一部を拡散させずに部分的に透過させ、内壁面に照射している。
【先行技術文献】
【特許文献】
【０００３】
【特許文献１】特開２０１５−２０７５５４号公報
【発明の概要】
【発明が解決しようとする課題】
【０００４】
例えば、造営材である天井よりも奥側に窓が配置された天窓では、天井面と交差する方向にて天井面と窓とを繋ぐ内壁面が形成される。一般に、天窓には自然光が入射されるので、天窓から見える空模様などが内壁面に映り込むことはない。しかしながら、特許文献１に開示された照明装置では、人工的な光が照射されるため、例えば色を有する光を光拡散板に映し出すと、この色を有する光が照明装置の内壁面にも照射される。そのため、照明装置を使用するユーザにとって違和感を生じることがある。
【０００５】
本発明は、造営材または照明装置の内壁面に光が照射されることで生じる違和感を抑制することを目的とする。
【課題を解決するための手段】
【０００６】
上記目的を達成するため、本発明の一態様に係る照明装置は、開口部を有するケースと、前記ケース内に設けられ、複数の発光素子を有する第１光源と、前記開口部に設けられ、前記第１光源から出射された光を拡散および透過して出射する光拡散板と、前記光拡散板の光の出射面側において前記光拡散板の光の出射領域の外側に配置される発光部と、前記発光部に光を入射する第２光源とを備える。
【０００７】
また、本発明の一態様に係る照明システムは、開口部を有するケース、前記ケース内に設けられ複数の発光素子を有する第１光源、および、前記開口部に設けられ前記第１光源から出射された光を拡散および透過して出射する光拡散板を備える照明装置と、前記光拡散板の光の出射面側において前記光拡散板の光の出射領域の外側に配置される発光部、および、前記発光部に光を入射する第２光源を備える発光器具と、前記第１光源および前記第２光源の発光を制御する照明コントローラとを備える。
【発明の効果】
【０００８】
本発明によれば、造営材または照明装置の内壁面に光が照射されることで生じる違和感を抑制することができる。
【図面の簡単な説明】
【０００９】
【図１】実施の形態１に係る照明装置の外観を示す斜視図である。
【図２】実施の形態１に係る照明装置が天井に設置されている状態を示す図である。
【図３】実施の形態１に係る照明装置の一部の分解斜視図である。
【図４】図２に示す照明装置をＩＶ−ＩＶ線で切断した場合の断面図である。
【図５】実施の形態１に係る照明装置の制御構成を示すブロック図である。
【図６】実施の形態１に係る照明装置の発光状態の一例を示す図である。
【図７】実施の形態１に係る照明装置の発光状態の変形例１を示す図である。
【図８】実施の形態１に係る照明装置の発光状態の変形例２を示す図である。
【図９】実施の形態１に係る照明装置の発光状態の変形例３を示す図である。
【図１０】実施の形態２に係る照明システムの断面図である。
【図１１】実施の形態２に係る照明システムの制御構成を示すブロック図である。
【図１２】その他の形態に係る照明装置の発光部の一例を示す断面図である。
【発明を実施するための形態】
【００１０】
以下、本発明の実施の形態について、図面を参照しながら説明する。以下に説明する実施の形態は、いずれも本発明の一具体例を示すものである。したがって、以下の実施の形態で示される数値、形状、材料、構成要素、構成要素の配置位置および接続形態などは、一例であって本発明を限定する主旨ではない。よって、以下の実施の形態における構成要素のうち、本発明の最上位概念を示す独立請求項に記載されていない構成要素については、任意の構成要素として説明される。
【００１１】
また、「略＊＊」との記載は、「略矩形状」を例に挙げて説明すると、完全な矩形状はもとより、実質的に矩形状と認められるものを含む意図である。
【００１２】
また、各図は、模式図であり、必ずしも厳密に図示されたものではない。また、各図において、実質的に同一の構成に対しては同一の符号を付しており、重複する説明は省略または簡略化される場合がある。
【００１３】
また、以下の実施の形態で説明に用いられる図面においては座標軸が示される場合がある。Ｚ軸のマイナス側が床面側、Ｚ軸のプラス側が天井側を表している。また、Ｘ軸方向およびＹ軸方向は、Ｚ軸方向に垂直な平面上において、互いに直交する方向である。Ｘ−Ｙ平面は、照明装置が備える光拡散板に平行な平面である。例えば、以下の実施の形態において、「平面視」とは、Ｚ軸方向から見ることを意味する。
【００１４】
（実施の形態１）
［１−１．照明装置の構成］
まず、本実施の形態に係る照明装置１の概略構成について説明する。
【００１５】
図１は、照明装置１の外観を示す斜視図である。図２は、照明装置１が天井８０に設置されている状態を示す斜視図である。図３は、照明装置１の一部の分解斜視図である。図４は、図２に示す照明装置をＩＶ−ＩＶ線で切断した場合の断面図である。
【００１６】
照明装置１は、ユーザに室内から窓を通して空を見るような感覚を疑似体験させるための装置である。照明装置１は、例えば図２に示すように、造営材の一例である天井８０などに設置され、自然の空、例えば、青空または夕焼けなどを模した光を光拡散板４０に映し出す。
【００１７】
照明装置１を天井８０に設置する場合は、上記光拡散板４０を天井面よりも奥側に配置するため、天井面と光拡散板４０との間には、天井面と交差する方向にて天井面と光拡散板４０とを繋ぐ内壁面ｗ１が形成される。本実施の形態に係る照明装置１では、内壁面ｗ１に対応する位置に発光部５０を設け、この発光部５０を発光させることで、光拡散板４０から照射される光が、内壁面ｗ１すなわち発光部５０に映り込むことを抑制する構成となっている。
【００１８】
以下、照明装置１の各構成について説明する。
【００１９】
図１〜図３に示すように、照明装置１は、ケース１０と、第１光源２０と、光拡散板４０と、発光部５０と、第２光源６０と、制御部７０とを備える。
【００２０】
ケース１０は、直方体状であり、平面視で略矩形状を有している。ケース１０内には、第１光源２０、光拡散板４０が収容されている。ケース１０は、床面側（Ｚ軸マイナス側）に、矩形状の開口部１１を有している。ケース１０の開口部１１には、光拡散板４０が設けられている。発光部５０および第２光源６０は、ケース１０の床面側に配置されている。制御部７０は、ケース１０の外側に配置されている。なお、制御部７０は、ケース１０内に収容されていてもよい。
【００２１】
ケース１０は、例えば金属材料または高い熱伝導性を有する非金属材料によって形成される。高い熱伝導性を有する非金属材料とは、例えば、熱伝導率が高い樹脂である。ケース１０の形状は、略矩形状に限られず、略円形状、略多角形状、略半円状等の形状でもよい。
【００２２】
第１光源２０は、基板２３と、基板２３に実装された複数の発光素子２２とを有する発光モジュールである。第１光源２０は、複数の発光素子２２が制御部７０によって発光制御されることで、例えば、青空などの画像を有する光を出射する。
【００２３】
基板２３は、複数の発光素子２２を実装するためのプリント配線基板であり、略矩形状に形成されている。基板２３としては、例えば、樹脂をベースとする樹脂基板、金属をベースとするメタルベース基板、セラミックからなるセラミック基板等を用いることができる。
【００２４】
発光素子２２は、ＬＥＤ（Ｌｉｇｈｔ  Ｅｍｉｔｔｉｎｇ  Ｄｉｏｄｅ）素子で構成されている。複数の発光素子２２は、基板２３上において行列状に等間隔で配置されている。各発光素子２２は、基板２３の両主面のうち、光拡散板４０と向き合う主面に配置されている。すなわち、第１光源２０は、複数の発光素子２２が光拡散板４０と向き合うように配置されている。
【００２５】
発光素子２２は、青色光、緑色光および赤色光、つまり、光の３原色を発光するＲＧＢタイプのＬＥＤ素子である。発光素子２２がＲＧＢタイプのＬＥＤ素子であることから、青色光、緑色光および赤色光の発光を制御することで様々な色の光を出射することができる。発光素子２２は、ＳＭＤ（Ｓｕｒｆａｃｅ  Ｍｏｕｎｔ  Ｄｅｖｉｃｅ）型のＬＥＤ素子であってもよいし、ＣＯＢ（Ｃｈｉｐ  Ｏｎ  Ｂｏａｒｄ）型のＬＥＤ素子であってもよい。
【００２６】
光拡散板４０は、例えば、透明なアクリルもしくはポリカーボネイト樹脂、ＰＥＴ（Ｐｏｌｙ  Ｅｔｈｙｌｅｎｅ  Ｔｅｒｅｐｈｔｈａｌａｔｅ）などの樹脂材料、またはガラスから構成された透明板に拡散加工が施されることで作製される。もしくは樹脂材料であれば、樹脂材料中に光拡散性を有する樹脂材料としても良い。拡散加工は、光拡散板４０の入射面４１および出射面４２の少なくとも一方の面に施される。例えば、拡散加工として、微細なドット状の穴（凹部）からなるプリズムを形成するプリズム処理などがある。また、拡散加工はプリズム処理に限定されず、シボ加工または印刷により行われてもよい。
【００２７】
光拡散板４０は、第１光源２０から出射された光を透過および拡散して床面側に出射する光学部材である。具体的には、光拡散板４０は、第１光源２０から出射された光を入射面４１から入射し、この入射した光を透過および拡散して出射面４２から出射する。光拡散板４０は、出射面４２側に、拡散光を出射する矩形状の出射領域４３を有している。
【００２８】
本実施の形態の照明装置１では、照明装置１に映し出された画像を見た場合に、画像の奥行きが現れやすいように、光拡散板４０が用いられている。例えば、ユーザから見て手前に位置する光拡散板４０は、奥側に位置する光源２０から出射された光をぼかした状態で出射する。これにより、照明装置１は、映し出される画像の奥行きが現れやすい構造となっている。
【００２９】
図４に示すように、光拡散板４０は、光拡散板４０の外周部をケース１０の開口部１１に当接させ、ケース１０の開口部１１を塞ぐように設けられている。また、光拡散板４０は、出射面４２よりも床面側にケース１０の内側面１３が露出しないように、出射面４２と開口部１１の端面１２とが同一面となる位置に設けられている。なお、光拡散板４０は、出射面４２が端面１２よりも床面側に位置するように、ケース１０に取り付けられていてもよい。
【００３０】
前述したように、発光部５０および第２光源６０は、ケース１０の床面側に配置されている。
【００３１】
第２光源６０は、発光部５０に向けて光を出射し、発光部５０に光を入射する発光源である。第２光源６０は、ケース１０の端面１２に設けられている。第２光源６０は、基板６３と、基板６３に実装された複数の発光素子６２とを有するＬＥＤラインモジュールである。
【００３２】
基板６３は、複数の発光素子６２を実装するためのプリント配線基板である。基板６３は、細長く、略矩形状に形成されている。基板６３としては、例えば、樹脂をベースとする樹脂基板、金属をベースとするメタルベース基板、セラミックからなるセラミック基板等を用いることができる。
【００３３】
発光素子６２は、ＬＥＤ素子で構成されている。複数の発光素子６２は、基板６３上において一列に等間隔で配置されている。第２光源６０は、複数の発光素子６２が発光部５０と向き合うようにケース１０の端面１２に固定されている。
【００３４】
発光素子６２は、光の３原色を発光するＲＧＢタイプのＬＥＤ素子である。発光素子６２がＲＧＢタイプのＬＥＤ素子であることから、青色光、緑色光および赤色光の発光を制御することで様々な色の光を出射することができる。発光素子６２は、ＳＭＤ型のＬＥＤ素子であってもよいし、ＣＯＢ型のＬＥＤ素子であってもよい。
【００３５】
発光部５０は、光を出射する発光面５２を有する、エッジライト型の導光板である。発光部５０は、光拡散板４０に垂直な方向において、光拡散板４０の光の出射面４２側に設けられている。また、発光部５０は、出射面４２に沿う方向において、出射領域４３の外側に配置されている。本実施の形態における照明装置１は、４つの発光部５０を有している。４つの発光部５０のそれぞれは、矩形状の出射領域４３の周囲に、出射領域４３の四辺に対応して配置されている。また、各発光部５０は、発光面５２が光拡散板４０の光の出射面４２と交差し、かつ、発光面５２が出射領域４３の外側の反対である内側を向くように配置されている。
【００３６】
発光部５０は、発光面５２の反対側の面である外側面５３と、ケース１０の開口部１１の端面１２側に位置する上面５４と、上面５４の反対側である床面側に位置する底面５５とを有している。上面５４には凹部５６が形成されている。発光部５０は、前述した第２光源が凹部５６内に収容された状態で、ケース１０の端面１２に取り付けられる。発光部５０は、例えば、接着またはねじ止めによってケース１０に固定される。発光部５０は、第２光源６０から出射された光を上面５４から入射し、導光板内を経由させて発光面５２から出射する。
【００３７】
発光部５０は、例えば、アクリルもしくはポリカーボネイト樹脂、ＰＥＴなどの樹脂材料、またはガラス材料によって形成される。発光部５０は、透明であってもよいし、非透明であってもよい。発光面５２には、印刷等によってマトリックス状の凹部または凸部が設けられていてもよい。
【００３８】
照明装置１は、発光部５０の底面５５が天井面と面一（同じ平面上）となるように天井８０に設置される。底面５５は、布を貼り付けることまたは塗装することで、天井面と同じ色に形成される。照明装置１は、発光部５０の外側面５３が、天井８０のくり抜いた側面と接するか、または、上記側面との隙間ができるだけ小さくなるように設置される。外側面５３には、第２光源６０から入射した光を反射し、発光面５２に導く反射層または反射部材が形成されていてもよい。
【００３９】
図５は、照明装置１の制御構成を示すブロック図である。照明装置１の制御構成に着目した場合、照明装置１は、制御部７０と、制御部７０にそれぞれ接続される記憶部７１と、第１光源２０および第２光源６０とによって構成される。
【００４０】
制御部７０は、第１光源２０および第２光源６０の点灯、消灯、調光、および調色（発光色または色温度の調整）などの動作を制御する。制御部７０は、マイクロコンピュータ、プロセッサなど、または専用回路によって実現される。
【００４１】
制御部７０は、記憶部７１に記憶された画像に関する情報を取得し、当該情報に応じて第１光源２０の発光を制御する。例えば、制御部７０は、光拡散板４０に青空を映し出す場合に、記憶部７１から青空に関する情報を取得し、取得した情報をもとに複数の発光素子２２の発光を制御する。このように、制御部７０によって各発光素子２２の発光を制御することで、照明装置１は、例えば、青空、白雲、曇り空、夕空、夕日などの画像を有する光を光拡散板４０に映し出す。
【００４２】
一方で制御部７０は、光拡散板４０に映し出される光が照明装置１の内壁面ｗ１（発光面５２）に映り込むことを抑制するように発光部５０、すなわち第２光源６０を発光させる。その際、制御部７０は、照明装置１が設置される天井８０の色と同色の色が発光部５０から発光されるように第２光源６０を制御する。
【００４３】
図６は、照明装置１の発光状態の一例を示す図である。例えば、天井８０が白色であれば、制御部７０は、発光部５０から白色の光が発光されるように第２光源６０の発光を制御する。あるいは制御部７０は、光拡散板４０に映し出される光の色に応じて、内壁面ｗ１が結果的に天井８０などの周囲の色と同じ色となるように、第２光源６０の発光を制御する。これらの制御によって、照明装置１の内壁面ｗ１に光拡散板４０からの光が照射されることで生じる違和感が抑制される。
【００４４】
［１−２．効果など］
本実施の形態に係る照明装置１は、開口部１１を有するケース１０と、ケース１０内に設けられ、複数の発光素子２２を有する第１光源２０と、開口部１１に設けられ、第１光源２０から出射された光を拡散および透過して出射する光拡散板４０と、光拡散板４０の光の出射面４２側において光拡散板４０の光の出射領域４３の外側に配置される発光部５０と、発光部５０に光を入射する第２光源６０とを備える。
【００４５】
このように、光拡散板４０の光の出射領域４３の外側に発光部５０を設けることで、例えば、天井面と光拡散板４０とを繋ぐ内壁面ｗ１を発光部５０の表面で形成することができる。この構造によれば、光拡散板４０から出射された光が内壁面ｗ１、すなわち発光部５０の表面に照射されても、発光部５０を発光させることで、光拡散板４０から照射された光の影響を低減し、ユーザにとっての違和感を抑制することができる。
【００４６】
また、発光部５０は、出射領域４３の周囲に配置されていてもよい。
【００４７】
これによれば、内壁面ｗ１を様々な方向から見た場合であっても、内壁面ｗ１を形成する発光部５０を発光させることで、光拡散板４０から照射された光の影響を低減し、ユーザにとっての違和感を抑制することができる。
【００４８】
また、発光部５０は、発光面５２を有する導光板であってもよい。
【００４９】
このように発光部５０を導光板とすることで、発光部５０を薄型化し、照明装置１を小型化することができる。
【００５０】
また、発光部５０は、発光面５２が出射面４２と交差し、かつ、発光面５２が出射領域４３の外側の反対である内側を向くように配置されていてもよい。
【００５１】
これによれば、光拡散板４０からの光が照射される内側の面（発光面５２）にて、発光部５０の光を出射することができ、光拡散板４０から照射された光の影響を効率よく低減し、ユーザにとっての違和感を抑制することができる。
【００５２】
また、第２光源６０は、光の３原色を発光する発光素子６２を有していてもよい。
【００５３】
これによれば、例えば、天井８０などの造営材の色に合わせて第２光源６０を発光させることができ、ユーザにとって自然な内壁面ｗ１を形成することができる。また、例えば、光拡散板４０から出射される光の色に応じて第２光源６０を発光させることができ、光拡散板４０から照射された光の影響を効率よく低減し、ユーザにとっての違和感を抑制することができる。
【００５４】
また、さらに、第１光源２０および第２光源６０の発光を制御する制御部７０を備えていてもよい。
【００５５】
これによれば、第１光源２０を用いて光拡散板４０に映し出す光を変化させ、また、第２光源６０を用いて発光部５０から出射する光を変化させることができる。これにより、例えば、光拡散板４０に映し出す光の画像や色が変化する場合であっても、その変化に応じて発光部５０を発光させることで、光拡散板４０から照射された光の影響を低減し、ユーザにとっての違和感を抑制することができる。
【００５６】
［１−３．照明装置の発光状態の変形例１および２］
次に、図７および図８を用いて、照明装置１の発光状態の変形例１および２について説明する。照明装置１の構造は、前述した実施の形態１の照明装置１と同じであるので説明を省略する。ここでは、照明装置１の発光状態の他の例について説明する。
【００５７】
図７は、照明装置１の発光状態の変形例１を示す図である。
【００５８】
まず、制御部７０は、時間帯に応じた画像を記憶部７１から入手して光拡散板４０に表示させる。例えば、制御部７０は、照明装置１を使用する時間帯が午前８：００〜午後４：００であれば、記憶部７１に保存されている昼間の画像、例えば青空を含む画像を取得し、この画像に基づいて複数の発光素子２２を発光させる。なお、画像は無地画像であってもよい。
【００５９】
一方、制御部７０は、上記のように光拡散板４０に映し出される光が青色であれば、青の色温度（例えば１００００Ｋ以上１５０００Ｋ以下）よりも低い色温度（例えば５０００Ｋ以上７０００Ｋ以下）の光を発光部５０から出射させる。
【００６０】
図７では、光拡散板４０がうすい網掛で示され、青色に着色された状態となっている。それに対し、内壁面ｗ１は、発光部５０から青色よりも低い色温度の光が出射されることで、結果的に天井８０とほぼ同じ色になっている。このように制御部７０が、発光部５０の色温度を制御することで、内壁面ｗ１において、光拡散板４０からの光が映り込むことを抑制している。
【００６１】
図８は、照明装置１の発光状態の変形例２を示す図である。
【００６２】
まず、制御部７０は、時間帯に応じた画像を記憶部７１から入手して光拡散板４０に表示する。例えば、制御部７０は、照明装置１を使用する時間帯が午後６：００であれば、記憶部７１に保存されている夕空を含む画像を入手し、この画像に基づいて複数の発光素子２２を発光させる。
【００６３】
一方、制御部７０は、上記のように光拡散板４０に映し出される光が橙色であれば、橙の色温度（例えば２０００Ｋ以上３０００Ｋ以下）よりも高い色温度（例えば５０００Ｋ以上７０００Ｋ以下）の光を発光部５０から出射させる。
【００６４】
図８では、光拡散板４０が濃い網掛で示され、橙色に着色された状態となっている。それに対し、内壁面ｗ１は、発光部５０から橙色よりも高い色温度の光が出射されることで、結果的に天井８０とほぼ同じ色になっている。このように制御部７０が、発光部５０の色温度を制御することで、内壁面ｗ１において、光拡散板４０からの光が映り込むことを抑制している。
【００６５】
実施の形態１の変形例１および２に係る照明装置１では、制御部７０は、発光部５０から出射される光の色温度が光拡散板４０から出射される光の色温度と異なるように、第２光源６０の発光を制御する。これにより、内壁面ｗ１である発光部５０を、より自然光が照射されている状態に近くすることが可能となり、ユーザにとって生じる違和感を抑制することができる。
【００６６】
［１−４．照明装置の発光状態の変形例３］
次に、図９を用いて、照明装置１の発光状態の変形例３について説明する。
【００６７】
図９は、照明装置１の発光状態の変形例３を示す図である。変形例３における照明装置１の構造は、前述した実施の形態１の照明装置１と同じであるが、４つの発光部５０ａ、５０ｂ、５０ｃ、５０ｄのうち少なくとも２つが異なる明るさまたは色で発光する。
【００６８】
まず、制御部７０は、時間帯に応じた画像を記憶部７１から入手して光拡散板４０に表示する。例えば、制御部７０は、照明装置１を使用する時間帯が午前８：００であれば、記憶部７１に保存されている朝日を含む画像を入手し、この画像に基づいて複数の発光素子２２を発光させる。
【００６９】
一方、制御部７０は、上記のように光拡散板４０に映し出される朝日が、光拡散板４０の出射面４２のうち発光部５０ｄ側に位置する場合、発光部５０ｄに対向する発光部５０ａに朝日が映り込みにくいように、発光部５０ａの発光を制御する。また、発光部５０ｂ、５０ｃおよび５０ｄについては、発光させないか、または朝日が映り込みにくいように調光制御または調色制御する。
【００７０】
また、照明装置１を使用する時間帯が午後６：００であれば、記憶部７１に保存されている夕方の画像を入手し、この画像に基づいて複数の発光素子２２を発光させる。
【００７１】
一方、制御部７０は、上記のように光拡散板４０に映し出される夕日が、光拡散板４０の出射面４２のうち発光部５０ａ側に位置する場合（図示省略）、発光部５０ａに対向する発光部５０ｄに夕日が映り込みにくいように、発光部５０ｄの発光を制御する。また、発光部５０ａ、５０ｂおよび５０ｃについては、発光させないか、または夕日が映り込みにくいように調光制御または調色制御する。
【００７２】
実施の形態１の変形例３に係る照明装置１では、発光部５０ａ〜５０ｄが複数設けられ、また、第２光源６０は、複数の発光部５０ａ〜５０ｄに対応して複数設けられている。制御部７０は、複数の発光部５０ａ〜５０ｄのうち第１の発光部（例えば５０ａ）の発光状態が第２の発光部（例えば５０ｂ）の発光状態と異なるように、第１の発光部５０ａおよび第２の発光部５０ｂのそれぞれに対応する第２光源６０の発光を制御する。
【００７３】
これにより、内壁面ｗ１である発光部５０ａ〜５０ｄを、自然光が照射されている状態に近くすることが可能となり、ユーザにとって生じる違和感を抑制することができる。
【００７４】
（実施の形態２）
次に、実施の形態２に係る照明システム２について説明する。照明システム２は、実施の形態１で示した発光部５０および第２光源６０が、照明装置１に設けられるのではなく、天井８０などの造営材に設けられている。
【００７５】
図１０は、照明システム２の断面図である。図１１は、照明システム２の制御構成を示すブロック図である。
【００７６】
図１０および図１１に示すように、照明システム２は、ケース１０、第１光源２０および光拡散板４０を備える照明装置１Ａと、発光部５０および第２光源６０を備える発光器具８５と、照明コントローラ７５とを備える。
【００７７】
なお、照明システム２の照明装置１Ａは、光拡散板４０の入射面４１がケース１０の端面１２に当接している点で実施の形態１と異なるが、それ以外の点において、ケース１０、第１光源２０および光拡散板４０の構成は、実施の形態１に示す照明装置１とほぼ同じ構成であり、説明を省略する。
【００７８】
本実施の形態では、発光器具８５に含まれる発光部５０および第２光源６０が、造営材の一例である天井８０に設けられている。
【００７９】
第２光源６０は、発光部５０に向けて光を出射し、発光部５０に光を入射する発光源である。第２光源６０は、天井８０の凹部８１内に設けられている。第２光源６０は、基板６３と、基板６３に実装された複数の発光素子６２とを有するＬＥＤラインモジュールである。
【００８０】
発光素子６２は、光の３原色を発光するＲＧＢタイプのＬＥＤ素子である。複数の発光素子６２は、基板６３上において一列に等間隔で配置されている。第２光源６０は、複数の発光素子６２が発光部５０の上面５４と向き合うように天井８０に固定されている。
【００８１】
発光部５０は、発光面５２を有する導光板である。発光部５０は、光拡散板４０の光の出射面４２側に設けられ、かつ、出射領域４３の外側に位置するように、天井８０に配置されている。照明システム２は、４つの発光部５０を有している。４つの発光部５０のそれぞれは、矩形状の出射領域４３の周囲に配置されている。各発光部５０は、発光面５２が光拡散板４０の光の出射面４２と交差し、かつ、発光面５２が出射領域４３の外側の反対である内側を向くように配置されている。
【００８２】
発光部５０は、発光面５２の反対側の面である外側面５３と、天井８０の凹部８１側に位置する上面５４と、上面５４の反対側で床面側に位置する底面５５とを有している。
【００８３】
発光部５０は、天井８０に設けられた切り欠き部８２に当接した状態で、天井８０に取り付けられている。発光部５０は、例えば、嵌め込みまたはねじ止めによって天井８０に固定される。発光部５０は、第２光源６０から出射された光を上面５４から入射し、導光板内を経由させて発光面５２から出射する。
【００８４】
発光器具８５は、発光部５０の底面５５が天井面と面一（同じ平面上）となるように天井８０に設置される。底面５５は、布を貼り付けることまたは塗装することで、天井面と同じ色に形成されている。発光器具８５は、発光部５０の外側面５３が、天井８０の側面と接するか、または、天井８０の側面との隙間が小さくなるように設置される。外側面５３には、第２光源６０から入射した光を発射し、発光面５２に導くための反射層または反射部材が形成されている。
【００８５】
図１１に示すように、制御構成に着目した場合、照明システム２は、照明コントローラ７５と、照明装置１Ａと、発光器具８５とによって構成される。照明装置１Ａは、制御部７０と、制御部７０にそれぞれ接続される記憶部７１および第１光源２０とを備える。発光器具８５は、第２光源６０を備える。
【００８６】
照明コントローラ７５は、第１光源２０および第２光源６０の点灯、消灯、調光、および調色などの動作を制御する。照明コントローラ７５は、マイクロコンピュータ、プロセッサなど、または専用回路によって実現される。
【００８７】
照明コントローラ７５は、照明装置１Ａの記憶部７１に記憶された画像に関する情報を取得し、制御部７０を介して第１光源２０の発光を制御する。例えば、照明コントローラ７５は、光拡散板４０に青空を映し出す場合に、記憶部７１から青空に関する情報を取得し、取得した情報をもとに複数の発光素子２２の発光を制御する。このように、照明コントローラ７５によって各発光素子２２の発光を制御することで、照明システム２は、例えば、青空、白雲、曇り空、夕空、夕日などの画像を有する光を光拡散板４０に映し出す。
【００８８】
一方で、照明コントローラ７５は、光拡散板４０に映し出される光が照明装置１Ａの内壁面ｗ１（発光面５２）に映り込むのを抑制するように発光部５０、すなわち第２光源６０を発光させる。また、照明コントローラ７５は、天井８０の色と同色の色が発光部５０から発光されるように第２光源６０を制御する。
【００８９】
照明コントローラ７５は、例えば、天井８０の色が肌色（薄茶色）であれば、発光部５０から肌色の光が発光されるように、第２光源６０の発光を制御する。あるいは照明コントローラ７５は、光拡散板４０に映し出される光の色に応じて、内壁面ｗ１が結果的に天井８０などの周囲の色と同じ色となるように、第２光源６０の発光を制御する。これらの制御によって、照明システム２の内壁面ｗ１に光が照射されることで生じる違和感が抑制される。
【００９０】
本実施の形態に係る照明システム２は、開口部１１を有するケース１０、ケース１０内に設けられ複数の発光素子２２を有する第１光源２０、および、開口部１１に設けられ第１光源２０から出射された光を拡散および透過して出射する光拡散板４０を備える照明装置１Ａと、光拡散板４０の光の出射面４２側において光拡散板４０の光の出射領域４３の外側に配置される発光部５０、および、発光部５０に光を入射する第２光源６０を備える発光器具８５と、第１光源２０および第２光源６０の発光を制御する照明コントローラ７５とを備える。
【００９１】
このように、光拡散板４０の光の出射領域４３の外側に発光部５０を設けることで、例えば、天井面と光拡散板４０とを繋ぐ内壁面ｗ１を発光部５０の表面で形成することができる。この構造によれば、光拡散板４０から出射された光が内壁面ｗ１、すなわち発光部５０の表面に照射されても、発光部５０を発光させることで、光拡散板４０から照射された光の影響を低減し、ユーザにとっての違和感を抑制することができる。
【００９２】
（その他の実施の形態）
以上、本発明について実施の形態に基づいて説明したが、本発明は、上記実施の形態に限定されない。
【００９３】
実施の形態１では、発光部５０の上面５４に凹部５６を設け、この凹部５６に第２光源６０を収容する構造としたが、第２光源６０が収容される位置は発光部５０の上面５４に限られない。例えば、図１２の（ａ）に示すように、ケース１０の端面１２に凹部１４を設け、この凹部１４に第２光源６０を収容する構造であってもよい。また、図１２の（ｂ）に示すように、発光部５０の底面５５に凹部５７を設け、この凹部５７に第２光源６０を収容する構造であってもよい。
【００９４】
実施の形態１では、光拡散板４０に青空を映し出す例を示したが、画像としてはこれに限られない。例えば、光拡散板４０に青空の中に白雲が存在する画像、または、夕空の中に夕日が存在する画像であってもよい。また、青空の中を白雲が移動する様子を示す映像であってもよいし、夕空において夕日が沈む様子を示す映像であってもよい。この場合であっても、制御部７０を用いて発光部５０の発光を制御することで、光拡散板４０に表示した画像が内壁面ｗ１に映り込んで違和感が発生することを抑制できる。
【００９５】
実施の形態１または２では、照明装置１または１Ａが天井８０に埋め込まれる例について説明したが、これに限定されない。例えば、照明装置１または１Ａが、造営材の一種である壁に埋め込まれてもよい。
【００９６】
実施の形態１または２では、出射領域４３を囲む４つの発光部５０を例に挙げて説明したが、発光部５０の形状は板状に限定されない。発光部５０の形状は、枠状または筒状であってもよい。
【００９７】
実施の形態１または２では、発光部５０としてエッジライト型の導光板を例に挙げて説明したが、これに限定されない。発光部５０は、内照式の照明器具であってもよい。また、第２光源６０は、発光部５０の近傍に配置されている必要はなく、発光部５０から離れた位置に配置され、光ファイバー等を介して発光部５０に光を入射する構造であってもよい。
【００９８】
実施の形態１では、１つの光拡散板４０を用いる例を示したが、光拡散板の数は１つに限定されず、複数の光拡散板を用いてもよい。具体的には、光拡散板４０と光源２０との間に他の光拡散板を挿入し、さらに光を拡散してもよい。
【符号の説明】
【００９９】
１、１Ａ  照明装置
２      照明システム
１０    ケース
１１    開口部
２０    第１光源
２２    発光素子
４０    光拡散板
４２    出射面
４３    出射領域
５０、５０ａ、５０ｂ、５０ｃ、５０ｄ  発光部
５２    発光面
６０    第２光源
６２    発光素子
７０    制御部
７５    照明コントローラ
８５    発光器具
【図１】
2018170132.tif 000003
【図２】
2018170132.tif 000004
【図３】
2018170132.tif 000005
【図４】
2018170132.tif 000006
【図５】
2018170132.tif 000007
【図６】
2018170132.tif 000008
【図７】
2018170132.tif 000009
【図８】
2018170132.tif 000010
【図９】
2018170132.tif 000011
【図１０】
2018170132.tif 000012
【図１１】
2018170132.tif 000013
【図１２】
2018170132.tif 000014